【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
画像が記録された媒体の当該画像を読み取る画像読取装置において、
前記媒体を保持する保持部と、
記録された画像を読み取る画像読取部と、
前記保持部または前記画像読取部を鉛直方向に搬送させる搬送手段と、
前記搬送手段を駆動制御する搬送制御部と、
前記保持部に保持された媒体の種類を識別する識別データを取得する識別データ取得手段と、
前記取得された識別データに応じて、前記搬送手段の駆動条件を変更するよう前記搬送制御部を制御する制御部と
を設けたことを特徴とする画像読取装置。
【請求項２】
前記識別データ取得手段は、前記媒体の重量に応じた識別データを読み取る手段であることを特徴とする請求項１に記載の画像読取装置。
【請求項３】
前記識別データ取得手段は、前記媒体または前記媒体を保持する保持部の重量を判定する重量判定手段であることを特徴とする請求項１に記載の画像読取装置。
【請求項４】
前記重量判定手段は、前記保持部にて前記媒体を保持した時の前記搬送手段の駆動状態に基づいて当該媒体または当該媒体を保持する保持部の重量を算出する演算装置であることを特徴とする請求項３に記載の画像読取装置。
【請求項５】
前記重量判定手段は、前記媒体または前記媒体を保持する保持部の重量を測定する荷重計であることを特徴とする請求項３に記載の画像読取装置。
【請求項６】
前記搬送手段は、リニアモータであることを特徴とする請求項１に記載の画像読取装置。
【請求項７】
所定の媒体に所定の画像を記録する画像記録装置において、
前記媒体を保持する保持部と、
前記保持部に保持された媒体に所定の画像を書き込む画像書込部と、
前記保持部または前記画像書込部を鉛直方向に搬送させる搬送手段と、
前記搬送手段を駆動制御する搬送制御部と、
前記保持部に保持された媒体の種類を識別する識別データを取得する識別データ取得手段と、
前記取得された識別データに応じて、前記搬送手段の駆動条件を変更するよう前記搬送制御部を制御する制御部と
を設けたことを特徴とする画像記録装置。
【請求項８】
前記識別データ取得手段は、前記媒体の重量に応じた識別データを読み取る手段であることを特徴とする請求項７に記載の画像記録装置。
【請求項９】
前記識別データ取得手段は、前記媒体または前記媒体を保持する保持部の重量を判定する重量判定手段であることを特徴とする請求項７に記載の画像記録装置。
【請求項１０】
前記重量判定手段は、前記保持部にて前記媒体を保持した時の前記搬送手段の駆動状態に基づいて当該媒体または当該媒体を保持する保持部の重量を算出する演算装置であることを特徴とする請求項９に記載の画像記録装置。
【請求項１１】
前記重量判定手段は、前記媒体または前記媒体を保持する保持部の重量を測定する荷重計であることを特徴とする請求項９に記載の画像記録装置。
【請求項１２】
前記搬送手段は、リニアモータであることを特徴とする請求項７に記載の画像記録装置。
【手続補正２】
【補正対象書類名】明細書
【補正対象項目名】００１０
【補正方法】変更
【補正の内容】
【００１０】
上記課題を解決するために請求項１に記載の発明に係る画像読取装置は、画像が記録された媒体の当該画像を読み取る画像読取装置において、
前記媒体を保持する保持部と、
記録された画像を読み取る画像読取部と、
前記保持部または前記画像読取部を鉛直方向に搬送させる搬送手段と、
前記搬送手段を駆動制御する搬送制御部と、
前記保持部に保持された媒体の種類を識別する識別データを取得する識別データ取得手段と、
前記取得された識別データに応じて、前記搬送手段の駆動条件を変更するよう前記搬送制御部を制御する制御部と
を設けたことを特徴としている。
【手続補正３】
【補正対象書類名】明細書
【補正対象項目名】００１３
【補正方法】変更
【補正の内容】
【００１３】
これにより、搬送手段は常に媒体の種類に応じた最適な駆動条件で媒体を搬送させることになるため、特に画像読取時における搬送速度にムラを低減でき、読取画像ムラを低減することができる。
また、保持部または画像読取部を鉛直方向に搬送させることで、重力の影響を直接受ける場合であっても、常に最適な駆動条件で媒体を搬送させることができるため、特に画像読取時における搬送速度にムラを低減でき、読取画像ムラを低減することができる。
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】変更
【補正の内容】
【００２５】
請求項６に記載の発明は、請求項１に記載の発明において、前記搬送手段は、リニアモータであることを特徴としている。
【手続補正７】
【補正対象書類名】明細書
【補正対象項目名】００２６
【補正方法】変更
【補正の内容】
【００２６】
請求項６に記載の発明によれば、媒体を直接駆動するリニアモータにすることで、より安定で精度、性能のよい搬送を行うことができるため、特に画像読取時における搬送速度にムラを低減でき、読取画像ムラを低減することができる。
【手続補正８】
【補正対象書類名】明細書
【補正対象項目名】００２７
【補正方法】変更
【補正の内容】
【００２７】
請求項７に記載の発明に係る画像記録装置は、所定の媒体に所定の画像を記録する画像記録装置において、
前記媒体を保持する保持部と、
前記保持部に保持された媒体に所定の画像を書き込む画像書込部と、
前記保持部または前記画像書込部を鉛直方向に搬送させる搬送手段と、
前記搬送手段を駆動制御する搬送制御部と、
前記保持部に保持された媒体の種類を識別する識別データを取得する識別データ取得手段と、
前記取得された識別データに応じて、前記搬送手段の駆動条件を変更するよう前記搬送制御部を制御する制御部と
を設けたことを特徴としている。
【手続補正９】
【補正対象書類名】明細書
【補正対象項目名】００２８
【補正方法】変更
【補正の内容】
【００２８】
請求項７に記載の発明によれば、媒体を保持する保持部は、画像書込みが開始される位置まで搬送される。あるいは、画像書込部が、搬送手段にて媒体の位置まで搬送される。保持部または画像書込部が搬送されて、画像書込部による画像記録が開始される。
【手続補正１０】
【補正対象書類名】明細書
【補正対象項目名】００３０
【補正方法】変更
【補正の内容】
【００３０】
これにより、搬送手段は常に媒体の種類に応じた最適な駆動条件で媒体を搬送させることになるため、特に画像記録時における搬送速度にムラを低減でき、記録画像ムラを低減することができる。
また、保持部または画像書込部を鉛直方向に搬送させることで、重力の影響を直接受ける場合であっても、常に最適な駆動条件で媒体を搬送させることができるため、特に画像記録時における搬送速度にムラを低減でき、記録画像ムラを低減することができる。
【手続補正１１】
【補正対象書類名】明細書
【補正対象項目名】００３１
【補正方法】変更
【補正の内容】
【００３１】
請求項８に記載の発明は、請求項７に記載の発明において、前記識別データ取得手段は、前記媒体の重量に応じた識別データを読み取る手段であることを特徴としている。
【手続補正１２】
【補正対象書類名】明細書
【補正対象項目名】００３２
【補正方法】変更
【補正の内容】
【００３２】
請求項８に記載の発明によれば、識別データ取得手段で読み出された識別データに応じた駆動条件、すなわち識別データから導き出される媒体の重さに対応した最適な駆動条件で、搬送手段を搬送制御することが可能になり、特に画像記録時における搬送速度にムラを低減でき、記録画像ムラを低減することができる。
【手続補正１３】
【補正対象書類名】明細書
【補正対象項目名】００３４
【補正方法】変更
【補正の内容】
【００３４】
請求項９に記載の発明は、請求項７に記載の発明において、前記識別データ取得手段は、前記媒体または前記媒体を保持する保持部の重量を判定する重量判定手段であることを特徴としている。
【手続補正１４】
【補正対象書類名】明細書
【補正対象項目名】００３５
【補正方法】変更
【補正の内容】
【００３５】
請求項９に記載の発明によれば、重量判定手段にて判定された媒体自体または媒体を保持する保持部全体の重量に応じた駆動条件、すなわち媒体の重さに対応した駆動条件で、搬送手段を最適な搬送制御で搬送を行わせることが可能になり、特に画像記録時における搬送速度にムラを低減でき、記録画像ムラを低減することができる。
【手続補正１５】
【補正対象書類名】明細書
【補正対象項目名】００３６
【補正方法】変更
【補正の内容】
【００３６】
請求項１０に記載の発明は、請求項９に記載の発明において、前記重量判定手段は、前記保持部にて前記媒体を保持した時の前記搬送手段の駆動状態に基づいて当該媒体または当該媒体を保持する保持部の重量を算出する演算装置であることを特徴としている。
【手続補正１６】
【補正対象書類名】明細書
【補正対象項目名】００３７
【補正方法】変更
【補正の内容】
【００３７】
請求項１０に記載の発明によれば、重量判定手段としての演算装置では、保持部にて媒体を保持した時の搬送手段の駆動状態、すなわち媒体を保持した保持部をある位置で維持しつつ、重力にしたがって落下しないように搬送手段を駆動させるのに必要な電流値、電圧値などに基づいて媒体を保持する保持部全体の重量が算出される。この重量に基づいて、搬送手段の駆動条件を設定することが可能になる。
【手続補正１７】
【補正対象書類名】明細書
【補正対象項目名】００３８
【補正方法】変更
【補正の内容】
【００３８】
請求項１１に記載の発明は、請求項９に記載の発明において、前記重量判定手段は、前記媒体または前記媒体を保持する保持部の重量を測定する荷重計であることを特徴としている。
【手続補正１８】
【補正対象書類名】明細書
【補正対象項目名】００３９
【補正方法】変更
【補正の内容】
【００３９】
請求項１１に記載の発明によれば、重量判定手段として荷重計を用いて、媒体自体または媒体を保持した保持部全体の重量を直接測定することで、搬送手段の駆動条件を設定することが可能になる。
【手続補正１９】
【補正対象書類名】明細書
【補正対象項目名】００４０
【補正方法】削除
【補正の内容】
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】変更
【補正の内容】
【００４２】
請求項１２に記載の発明は、請求項７に記載の発明において、前記搬送手段は、リニアモータであることを特徴としている。
【手続補正２２】
【補正対象書類名】明細書
【補正対象項目名】００４３
【補正方法】変更
【補正の内容】
【００４３】
請求項１２に記載の発明によれば、媒体を直接駆動するリニアモータにすることで、より安定で精度、性能のよい搬送を行うことができるため、特に画像記録時における搬送速度にムラを低減でき、記録画像ムラを低減することができる。
【手続補正２３】
【補正対象書類名】明細書
【補正対象項目名】００４４
【補正方法】変更
【補正の内容】
【００４４】
請求項１に記載の発明によれば、搬送手段は常に媒体の種類に応じた最適な駆動条件で媒体を搬送させることになるため、特に画像読取時における搬送速度にムラを低減でき、読取画像ムラを低減することができる。
また、保持部または画像読取部を鉛直方向に搬送させることで、重力の影響を直接受ける場合であっても、常に最適な駆動条件で搬送でき、特に画像読取時における搬送速度にムラを低減でき、読取画像ムラを低減することができる。
【手続補正２４】
【補正対象書類名】明細書
【補正対象項目名】００４９
【補正方法】削除
【補正の内容】
【手続補正２５】
【補正対象書類名】明細書
【補正対象項目名】００５０
【補正方法】変更
【補正の内容】
【００５０】
請求項６に記載の発明によれば、媒体を直接駆動するリニアモータにすることで、より安定で精度、性能のよい搬送を行うことができるため、特に画像読取時における搬送速度にムラを低減でき、読取画像ムラを低減することができる。
【手続補正２６】
【補正対象書類名】明細書
【補正対象項目名】００５１
【補正方法】変更
【補正の内容】
【００５１】
請求項７に記載の発明によれば、搬送手段は常に媒体の種類に応じた最適な駆動条件で媒体を搬送させることになるため、特に画像記録時における搬送速度にムラを低減でき、記録画像ムラを低減することができる。
また、保持部または画像書込部を鉛直方向に搬送させることで、重力の影響を直接受ける場合であっても、常に最適な駆動条件で搬送でき、特に画像記録時における搬送速度にムラを低減でき、記録画像ムラを低減することができる。
【手続補正２７】
【補正対象書類名】明細書
【補正対象項目名】００５２
【補正方法】変更
【補正の内容】
【００５２】
請求項８に記載の発明によれば、識別データ取得手段で読み出された識別データに応じた駆動条件、すなわち識別データから導き出される媒体の重さに対応した最適な駆動条件で、搬送手段を搬送制御することが可能になり、特に画像記録時における搬送速度にムラを低減でき、記録画像ムラを低減することができる。
【手続補正２８】
【補正対象書類名】明細書
【補正対象項目名】００５３
【補正方法】変更
【補正の内容】
【００５３】
請求項９に記載の発明によれば、重量判定手段にて判定された媒体自体または媒体を保持する保持部全体の重量に応じた駆動条件、すなわち媒体の重さに対応した駆動条件で、搬送手段を最適な搬送制御で搬送を行わせることが可能になり、特に画像記録時における搬送速度にムラを低減でき、記録画像ムラを低減することができる。
【手続補正２９】
【補正対象書類名】明細書
【補正対象項目名】００５４
【補正方法】変更
【補正の内容】
【００５４】
請求項１０に記載の発明によれば、重量判定手段としての演算装置では、保持部にて媒体を保持した時の搬送手段の駆動状態、すなわち媒体を保持した保持部をある位置で維持しつつ、重力にしたがって落下しないように搬送手段を駆動させるのに必要な電流値、電圧値などに基づいて媒体を保持する保持部全体の重量が算出される。この重量に基づいて、搬送手段の駆動条件を設定することが可能になる。
【手続補正３０】
【補正対象書類名】明細書
【補正対象項目名】００５５
【補正方法】変更
【補正の内容】
【００５５】
請求項１１に記載の発明によれば、重量判定手段として荷重計を用いて、媒体自体または媒体を保持した保持部全体の重量を直接測定することで、搬送手段の駆動条件を設定することが可能になる。
【手続補正３１】
【補正対象書類名】明細書
【補正対象項目名】００５６
【補正方法】削除
【補正の内容】
【手続補正３２】
【補正対象書類名】明細書
【補正対象項目名】００５７
【補正方法】変更
【補正の内容】
【００５７】
請求項１２に記載の発明によれば、媒体を直接駆動するリニアモータにすることで、より安定で精度、性能のよい搬送を行うことができるため、特に画像記録時における搬送速度にムラを低減でき、記録画像ムラを低減することができる。